(57)【要約】【課題】曲り継手の軒樋の寸法取りが正確にできるとともに、施工が容易にできる曲り継手の取付構造の提供。【解決手段】屋根先回りの外曲り又は内曲りの部位５に軒樋吊具１を介して曲り継手２を取り付けてなり、この曲り継手２の両端部には軒樋４の端部が各々接続される曲り継手２の取付構造であって、曲り継手２と屋根先との間に下方から挿入されるスペーサ３を備え、このスペーサ３を軒樋吊具１に脱着自在に取り付けて、同スペーサ３で曲り継手の後壁部２４を当接保持したものである。【選択図】  図１
2004293146.tif 000002
【特許請求の範囲】
【請求項１】
屋根先回りの外曲り又は内曲りの部位に軒樋吊具を介して曲り継手を取り付けてなり、この曲り継手の両端部には軒樋の端部が各々接続される曲り継手の取付構造であって、曲り継手と屋根先との間に下方から挿入されるスペーサを備え、このスペーサを軒樋吊具に脱着自在に取り付けて、同スペーサで曲り継手の後壁部を当接保持してなる曲り継手の取付構造。
【請求項２】
軒樋吊具が屋根先に取着固定される取着板部を有するものであり、この取着板部の前面に係止受け凸起を突設し、スペーサに上方へ開口した二股状の係止部を設け、この係止部を同係止受け凸起にその両側から係止させることで、同スペーサを軒樋吊具に脱着自在に取り付けたことを特徴とする請求項１記載の曲り継手の取付構造。
【請求項３】
二股状の係止部を弾性に抗して拡開されるものとしたことを特徴とする請求項２記載の曲り継手の取付構造。
【請求項４】
二股状の係止部を対の狭持片で形成して、両狭持片の下方に操作片を各々延設し、両操作片を掴み操作することで両狭持片が開閉動作されるようになしたことを特徴とする請求項３記載の曲り継手の取付構造。
【発明の詳細な説明】
【０００１】
【発明の属する技術分野】
本発明は、屋根先回りの外曲り又は内曲りで使用する曲り継手の取付構造に関するものである。
【０００２】
【従来の技術】
曲り継手の取付構造としては、例えば、特開平１１−２００５６８号公報に開示されている。このものは、図６に示すように、曲り継手１０１と、取着部１０２と、両端部に軒樋嵌合部１０３とを備え、取着部１０２は入隅部（図示せず）の方向から突設されたリブ１０４と入隅部とほぼ平行に取り付けられた固定板１０５とからなり、固定板１０５の下端部に取付孔１０６が設けられ、取付孔１０６が曲り継手１０１の底面より下になされ、曲り継手１０１の両端部に軒樋の屋外側耳部を押える屋外側押え片１０７と屋内側耳部を押える屋内側押え片１０８を有しているものである。
【０００３】
【特許文献１】
特開平１１−２００５６８号公報
【０００４】
【発明が解決しようとする課題】
上記の曲り継手の取付構造に記載しているものでは、入隅部と曲り継手１０１の屋内耳押え片１０８と固定部材の屋内側に固定板の隙間にリブ１０４を設けているので、曲り継手１０１の自重や雨水等による曲り継手１０１の前倒れを防ぐことができる。また、曲り継手１０１の両端部の軒樋嵌合部１０３に軒樋を嵌合させて接続するので、軒樋の寸法取りは多少正確でなくても問題はなかった。しかし、この曲り継手の取付構造では、取着部１０２に曲り継手１０１を取り付けてから入隅部に固定するので、取着部１０２と曲り継手１０１が入隅部に固定された状態で、曲り継手１０１の両端部の軒樋嵌合部１０３で軒樋を接続するので、軒樋の施工が難しかった。
【０００５】
本発明は、かかる事由に鑑みてなしたものであり、その目的とするところは、曲り継手の軒樋の寸法取りが正確にできるとともに、施工が容易にできる曲り継手の取付構造を提供することにある。
【０００６】
【課題を解決するための手段】
上記問題点を解決するため、請求項１記載の発明は、屋根先回りの外曲り又は内曲りの部位に軒樋吊具を介して曲り継手を取り付けてなり、この曲り継手の両端部には軒樋の端部が各々接続される曲り継手の取付構造であって、曲り継手と屋根先との間に下方から挿入されるスペーサを備え、このスペーサを軒樋吊具に脱着自在に取り付けて、同スペーサで曲り継手の後壁部を当接保持してなるものである。
【０００７】
請求項２記載の発明は、請求項１の構成において、軒樋吊具が屋根先に取着固定される取着板部を有するものであり、この取着板部の前面に係止受け凸起を突設し、スペーサに上方へ開口した二股状の係止部を設け、この係止部を同係止受け凸起にその両側から係止させることで、同スペーサを軒樋吊具に脱着自在に取り付けたものである。
【０００８】
請求項３記載の発明は、請求項２の構成において、二股状の係止部を弾性に抗して拡開されるものである。
【０００９】
請求項４記載の発明は、請求項３の構成において、二股状の係止部を対の狭持片で形成して、両狭持片の下方に操作片を各々延設し、両操作片を掴み操作することで両狭持片が開閉動作されるようになしたものである。
【００１０】
【発明の実施の形態】
本発明の実施形態を図１乃至図５に基づいて説明する。
【００１１】
この実施形態の曲り継手の取付構造は、屋根先回りの外曲り又は内曲りの部位５に軒樋吊具１を介して曲り継手２を取り付けてなり、この曲り継手２の両端部には軒樋４の端部が各々接続される曲り継手の取付構造であって、曲り継手２と屋根先との間に下方から挿入されるスペーサ３を備え、このスペーサ３を軒樋吊具１に脱着自在に取り付けて、スペーサ３で曲り継手の後壁部２４を当接保持してなるものである。
【００１２】
さらに、軒樋吊具１が屋根先に取着固定される取着板部１４を有するものであり、取着板部１４の前面に係止受け凸起１６を突設し、このスペーサに上方へ開口した二股状の係止部３２を設け、この係止部３２を係止受け凸起１６にその両側から係止させることで、スペーサ３を軒樋吊具１に脱着自在に取り付けたものである。
【００１３】
さらに、二股状の係止部３２を弾性に抗して拡開されるものである。
【００１４】
さらに、二股状の係止部３２を対の狭持片３１で形成して、両狭持片３１の下方に操作片３４を各々延設し、両操作片３４を掴み操作することで両狭持片３１が開閉動作されるようになしたものである。
【００１５】
以下に、この曲り継手の取付構造についてより詳細に説明する。
【００１６】
軒樋吊り具１は、例えば、鉄板又はステンレス鋼板の金属板を成型したものであり、図１又は図２に示すように、吊具本体１１と、取着板部１４と、係止受け凸起１６と、を備えている。
【００１７】
吊具本体１１は、図１又は図２に示すように、後述する曲り継手２を係止するための前耳係止部１２ａと後耳係止部１２ｂと、両者を接続する連結部１３と、連結部１３の下方より延設する前側係止部１２ｃと、を有し、後述する取着板部１４の上部より略水平に突設されている。
【００１８】
取着板部１４は、図２に示すように、四方形の板状の上部に略水平に吊具本体１１が突設され、また、下部には後述するスペーサ３を取り付けるための係止受け凸起１６が突設されている。係止受け凸起１６は、その下部の両側面に凹凸形状を有する凹凸部１７が設けられている。また、凹凸部１７の上側には、スペーサ３が入り過ぎないためのストッパー１８が設けられている。そして、取着板部１４には、屋根先回りの外曲り又は内曲りの部位５に取り付けるためのビス孔１５が設けられている。
【００１９】
曲り継手２は、例えば、硬質塩化ビニールのような合成樹脂製のものからなっている。この曲り継手２は、図１又は図５に示すように、軒樋４の端部と接続するために両端部に設けられた軒樋接続部２１と、底部２２と、底部２２の部位５側から立設された前壁部２３と、前壁部２３の対向側に前側係止部１２ｃに対応するように延設された前側押さえ部２７と、前側押さえ部２７から延設された後壁部２４と、を有している。そして、前壁部２３の上端部には軒樋吊具１に取り付けるための後耳係止部１５ｂに対応した後耳２６が設けてある。また、後壁部２４の上端部には、軒樋吊具１に取り付けるための前耳係止部１５ａに対応した前耳２５が設けてある
スペーサ３は、図３に示すように、２個の狭持片３１と、接続部３６を有する２個の操作片３４と、を有し、狭持片３１の下側から延設された操作片３４とが接続部３６から弾性体３５により接続されたものである。
【００２０】
狭持片３１は、接触部３３と、係止部３２と、を有している。
【００２１】
係止部３２は、正面視において、狭持片３１の上端部の側面から、三角形状に延設され、凹凸部１７の凹部分に係止部３２に三角形状に延設された底辺を引掛けて取り付けるものである。
【００２２】
接触部３３は、スペーサ３を取着板部１４に取付る場合に接触部３３を取着板部１４に接触させるものである。
【００２３】
操作片３４は、狭持片３１の下側に延設し、スペーサペーサ３を係止受け凸起１６に取り付けた場合、下方にゆくにしたがって取着板部１４と曲り継手２の方向の幅が太くなっている。すなわち、操作片３４の部位５側は、係止受け凸起１６に取り付けた場合、接触部３３が係止受け凸起１６に接触した状態で操作片３４が部位５に接触するようになっている。また、操作片３４の曲り継手３側は、取着板部１４と曲り継手３側の間隔より大きくなっている。
【００２４】
狭持片３１をこのような構造にすることにより、スペーサ３の上方へ開口したした二股状の係止部３２を設け、この係止部３２を係止受け凸起１６にその両側から係止させることで、スペーサ３を軒樋吊具１に脱着自在にすることができる。
【００２５】
また、操作片３４をこのような構造にすることにより、スペーサ３を軒樋吊具１に取り付けた場合の安定性が良くなる。また、係止部３２を凹凸部１７の上部に取り付けた場合は、曲り継手３と取着板部１４の間隔は広くなり、また、係止部３２を凹凸部１７の下部に取り付けた場合は、曲り継手３と取着板部１４の間隔は狭くなるようになっている。
【００２６】
弾性体３５は、例えば、金属製のバネや鋼などの弾性体からなっている。
【００２７】
接続部３６は、左右対称の狭持片３１を係止部３２が向かい合うように弾性体３５で接続する部分である。
スペーサ３をこのような形状にする事により、両操作片３４を掴み操作することで両狭持片３１が開閉動作されるようになしたものである。そして、スペーサ３を凹凸部１７に取り付ける場合は、操作片３４、３４の内側を近づけ係止部３２を開け、接触部３３を取着板部１４に接触するようにして、そして、係止部３２と係止受け凸起１６の凹凸形状とが係合することにより、スペーサ３が取着板部１４に脱着自在に取り付けることができる。
次に、曲り継手２を軒樋吊具に取り付ける手順を図４又は図５に基づいて説明する。
【００２８】
まず、軒樋吊具１を取着板部１４のビス孔１５よりビス等の使い軒樋吊具１を出墨部５１、又は、入墨部５２の所定の位置に取り付ける。そして、スペーサ３を軒樋吊具１の取着板部１４に取り付ける。そして、曲り継手２の前耳２５を、軒樋吊具１の前耳係止部１２ａにかけ曲り継手２のコーナーが出墨部５１、又は、入墨部５２のセンターに合うように位置決めする。そして、曲り継手２の後耳２６を軒樋吊具１の後耳係止部１２ｂに取り付ける。このとき、係止部３２を凹凸部１７の上部に取り付ける場合は、曲り継手３と取着板部１４の間隔は広くなり、また、係止部３２を凹凸部１７の下部に取り付ける場合は、曲り継手３と取着板部１４の間隔は狭くなるので、曲り継手３が取り付け易い位置にスペーサ３を取り付けるとよい。そして、軒樋４の寸法取りが完了した後、スペーサ３を取り外す。最後に寸法取りした軒樋４の端部と曲り継手２の軒樋接続部２１を隙間なく突き合わせて接続する。
【００２９】
なお、係止受け凸起１６は、その下部の両側面に凹凸部１７を有しているが、スペーサ３の係止部３２が係止できれば、特に必要はない。また、上部にスットパー１８が設けてあるが、スペーサ３が奥に入り過ぎても問題なければ、特に必要ない。また、弾性体３５を使用せずに係止部３２が係止受け凸起１６の係止できれば、特に弾性体３５は必要ない。
【００３０】
なお、係止部３２は、三角形状になっているが、係止受け凸起に係止できればよく、形状は適宜決めればよい。
【００３１】
なお、両操作片３４を掴み操作することで両狭持片３１が開閉動作するようになっているが、係止部３２が係止受け凸起１６の係止できればよく、特に両狭持片３１が開閉動作する必要はない。
【００３２】
この曲り継手の取付構造によれば、曲り継手２を軒樋吊具１に取り付ける場合に、スペーサ３を軒樋吊具１の係止受け凸起１６に取り付けることにより、曲り継手２の前倒れがなくなり安定に固定することができる。
【００３３】
従って、屋根先回りの外曲り又は内曲の曲り継手に取り付ける軒樋４の寸法取り及び施工が容易にできる。特に、曲り継手２の両端部に軒樋４の端部を突き合わせで接続される場合は、曲り継手２の軒樋４の寸法取り及び施工が容易にできる。特に、曲り継手２の両端部に軒樋４の端部を突き合わせで接続される場合は、曲り継手２の軒樋４の寸法取り及び施工が容易にできる。
【００３４】
【発明の効果】
請求項１記載の発明にあっては、曲り継手を軒樋吊具に取り付ける場合、スペーサを軒樋吊具に取り付けることにより、曲り継手の前倒れがなくなり安定に固定することができ、屋根先回りの外曲り又は内曲の曲り継手に取り付ける軒樋の寸法取り及び施工が容易にできる。
【００３５】
請求項２記載の発明にあっては、請求項１記載の効果に加え、スペーサを軒樋吊具の係止受け凸起に取り付けることにより、より安定にスペーサを軒樋吊具に固定することができる。
【００３６】
請求項３記載の発明にあっては、請求項２記載の効果に加え、スペーサを弾性体の弾性力に抗して軒樋吊具の係止受け凸起に取り付けることにより、より安定にスペーサを軒樋吊具に固定することができる。
【００３７】
請求項４記載の発明にあっては、請求項３記載の効果に加え、操作片を設けることにより狭持片が容易に開閉することができるので、容易にスペーサを軒樋吊具の係止受け凸起に取り付けることができる。
【図面の簡単な説明】
【図１】実施形態の側面断面図。
【図２】同上の軒樋吊り具の斜視図。
【図３】同上のスペーサの斜視図。
【図４】同上の出隅部と入隅部の説明図。
【図５】同上の曲り継手の取付構造の斜視図。
【図６】従来の曲り継手の取付構造。
【符号の説明】
Ａ      曲り継手の取付構造
１      軒樋吊具
２      曲り継手
３      スペーサ
４      軒樋
５      部位
１１    吊具本体
１４    取着板部
１６    係止受け凸起
２４    後壁部
３１    狭持片
３２    係止部
３４    操作片
【図１】
2004293146.tif 000003
【図２】
2004293146.tif 000004
【図３】
2004293146.tif 000005
【図４】
2004293146.tif 000006
【図５】
2004293146.tif 000007
【図６】
2004293146.tif 000008